(57)【要約】【課題】価格競争力を高め、高い探知率を保障することができ、機密情報などを含む重要印刷用紙の不法持ち出しを探知できるようにするチップレスＲＦタグ基盤のセキュリティ用印刷用紙およびその製造方法を提示する。【解決手段】提示されたセキュリティ用印刷用紙は、第１原紙と、第２原紙と、第１原紙および第２原紙の間に配置されるチップレスＲＦタグとを含む。第１原紙および第２原紙のうちの１枚以上の原紙には、チップレスＲＦタグの位置露出防止およびセキュリティ用印刷用紙であることを感知できるようにする層が形成される。【選択図】図３
2016018556.tif 000002
【特許請求の範囲】
【請求項１】
第１原紙と、
第２原紙と、
前記第１原紙および前記第２原紙の間に配置されるチップレスＲＦタグとを含み、
前記第１原紙および前記第２原紙のうちの１枚以上の原紙には、前記チップレスＲＦタグの位置露出防止およびセキュリティ用印刷用紙であることを感知できるようにする層が形成されたことを特徴とする、チップレスＲＦタグ基盤のセキュリティ用印刷用紙。
【請求項２】
前記層は、前記第１原紙の内面および外面のうちのいずれか一面に形成されるが、前記第１原紙の内面および外面のうちのいずれか一面および前記チップレスＲＦタグとの間に形成されることを特徴とする、請求項１に記載のチップレスＲＦタグ基盤のセキュリティ用印刷用紙。
【請求項３】
前記層は、前記第２原紙の内面および外面のうちのいずれか一面に形成されるが、前記第２原紙の内面および外面のうちのいずれか一面および前記チップレスＲＦタグとの間に形成されることを特徴とする、請求項１に記載のチップレスＲＦタグ基盤のセキュリティ用印刷用紙。
【請求項４】
前記層は、前記第１原紙の内面および外面のうちのいずれか一面、および前記第２原紙の内面および外面のうちのいずれか一面に形成されることを特徴とする、請求項１に記載のチップレスＲＦタグ基盤のセキュリティ用印刷用紙。
【請求項５】
前記層は、所定のパターンまたは色彩で形成されることを特徴とする、請求項１に記載のチップレスＲＦタグ基盤のセキュリティ用印刷用紙。
【請求項６】
前記チップレスＲＦタグが２枚以上のセキュリティ用印刷用紙にそれぞれ配置される場合、
前記それぞれのチップレスＲＦタグは、前記２枚以上のセキュリティ用印刷用紙が重なっても、互いに重畳しないように配置されることを特徴とする、請求項１に記載のチップレスＲＦタグ基盤のセキュリティ用印刷用紙。
【請求項７】
前記チップレスＲＦタグは、セキュリティ用印刷用紙の搬出を許容するか否かを判断可能なＩＤ値を含むことを特徴とする、請求項１に記載のチップレスＲＦタグ基盤のセキュリティ用印刷用紙。
【請求項８】
第１原紙および第２原紙を用意するステップと、
前記第１原紙および前記第２原紙のうちの１枚以上の原紙に、チップレスＲＦタグの位置露出防止およびセキュリティ用印刷用紙であることを感知できるようにする層を形成するステップと、
前記第１原紙の内面または前記第２原紙の内面に前記チップレスＲＦタグを配置するステップと、
前記第１原紙および前記第２原紙を互いに接着させて合紙するステップとを含むことを特徴とする、チップレスＲＦタグ基盤のセキュリティ用印刷用紙の製造方法。
【請求項９】
前記層を形成するステップは、前記第１原紙の内面および外面のうちのいずれか一面に前記層を形成するが、前記第１原紙の内面および外面のうちのいずれか一面および前記チップレスＲＦタグとの間に形成することを特徴とする、請求項８に記載のチップレスＲＦタグ基盤のセキュリティ用印刷用紙の製造方法。
【請求項１０】
前記層を形成するステップは、前記第２原紙の内面および外面のうちのいずれか一面に前記層を形成するが、前記第２原紙の内面および外面のうちのいずれか一面および前記チップレスＲＦタグとの間に形成することを特徴とする、請求項８に記載のチップレスＲＦタグ基盤のセキュリティ用印刷用紙の製造方法。
【発明の詳細な説明】
【技術分野】
【０００１】
本発明は、チップレスＲＦタグ基盤のセキュリティ用印刷用紙およびその製造方法に関するものであって、より詳細には、印刷用紙にチップレスＲＦタグ（Ｃｈｉｐｌｅｓｓ  ＲＦ  Ｔａｇ）を挿入して、ＲＦタグ方式の探知ゲートにおいて印刷用紙に対する不法持ち出しを防止するようにするセキュリティ用印刷用紙およびその製造方法に関するものである。
【背景技術】
【０００２】
技術力が高まるにつれ、先端産業技術の漏洩事件が持続的に増加している。技術漏洩はかつて構築されたセキュリティシステムの穴を知能的に悪用する内部者によって主に発生する。これによって、出力された機密文書、図面などの外部持ち出しを防止するための技術が必要である。
【０００３】
出力物の持ち出しを防止するために、大韓民国公開特許第２００８−０１０７９７７号には、印刷用紙に磁性物質検出タグを挿入して、印刷用紙として出力された出力物が探知ゲートを通過する場合に感知できるようにする内容が記載された。
【０００４】
大韓民国公開特許第２００８−０１０７９７７号に記載された内容は、軟磁性を呈する金属物質からなる検出用タグが探知ゲートなどの探知手段で発生する交流磁場を通過する場合に磁場の変化が発生し、このような磁場の変化によって検出用タグの存在が感知される電磁方式（ＥＭ、Ｅｌｅｃｔｒｏｍａｇｎｅｔｉｃ）に適用される。
【０００５】
このような電磁方式は、探知ゲートおよび磁性物質が費用的な面で高価であるため、普及化するのに限界がある。
【発明の概要】
【発明が解決しようとする課題】
【０００６】
本発明は、上記の従来の問題を解決するためになされたものであって、価格競争力を高め、高い探知率を保障することができ、機密情報などを含む重要印刷用紙の不法持ち出しを探知できるようにするチップレスＲＦタグ基盤のセキュリティ用印刷用紙およびその製造方法を提供することを目的とする。
【課題を解決するための手段】
【０００７】
上記の目的を達成するために、本発明の好ましい実施様態に係るチップレスＲＦタグ基盤のセキュリティ用印刷用紙は、第１原紙と、第２原紙と、前記第１原紙および前記第２原紙の間に配置されるチップレスＲＦタグとを含み、前記第１原紙および前記第２原紙のうちの１枚以上の原紙には、前記チップレスＲＦタグの位置露出防止およびセキュリティ用印刷用紙であることを感知できるようにする層が形成される。
【０００８】
前記層は、前記第１原紙の内面および外面のうちのいずれか一面に形成されるが、前記第１原紙の内面および外面のうちのいずれか一面および前記チップレスＲＦタグとの間に形成されてもよい。
【０００９】
前記層は、前記第２原紙の内面および外面のうちのいずれか一面に形成されるが、前記第２原紙の内面および外面のうちのいずれか一面および前記チップレスＲＦタグとの間に形成されてもよい。
【００１０】
前記層は、前記第１原紙の内面および外面のうちのいずれか一面、および前記第２原紙の内面および外面のうちのいずれか一面に形成されてもよい。
【００１１】
前記層は、所定のパターンまたは色彩で形成されてもよい。
【００１２】
前記チップレスＲＦタグが２枚以上のセキュリティ用印刷用紙にそれぞれ配置される場合、前記それぞれのチップレスＲＦタグは、前記２枚以上のセキュリティ用印刷用紙が重なっても、互いに重畳しないように配置される。
【００１３】
前記チップレスＲＦタグは、セキュリティ用印刷用紙の搬出を許容するか否かを判断可能なＩＤ値を含むことができる。
【００１４】
一方、本発明の好ましい実施様態に係るチップレスＲＦタグ基盤のセキュリティ用印刷用紙の製造方法は、第１原紙および第２原紙を用意するステップと、前記第１原紙および前記第２原紙のうちの１枚以上の原紙に、チップレスＲＦタグの位置露出防止およびセキュリティ用印刷用紙であることを感知できるようにする層を形成するステップと、前記第１原紙の内面または前記第２原紙の内面に前記チップレスＲＦタグを配置するステップと、前記第１原紙および前記第２原紙を互いに接着させて合紙するステップとを含む。
【発明の効果】
【００１５】
このような構成の本発明によれば、価格競争力を備えていて、中小企業などに普及化することができ、高い探知率を保障することができ、機密情報などを含む重要印刷用紙の不法持ち出しを探知することができる。
【００１６】
また、チップレスＲＦタグ（Ｃｈｉｐｌｅｓｓ  ＲＦ  Ｔａｇ）が印刷用紙の表面に露出せず、プリンタなどの印刷装置の用紙として使用されても、機械の損傷に影響を及ぼさない。
【００１７】
さらに、チップレスＲＦタグ（Ｃｈｉｐｌｅｓｓ  ＲＦ  Ｔａｇ）を２枚の原紙の間に挿入すると同時に、タグの位置が露出できないように加工処理することにより、故意的なタグの損傷を防止して、セキュリティ用印刷用紙の持ち出しを遮断することができる。
【図面の簡単な説明】
【００１８】
【図１】本発明の実施形態に係るチップレスＲＦタグ基盤のセキュリティ用印刷用紙の分解斜視図である。
【図２】本発明の実施形態に係るチップレスＲＦタグ基盤のセキュリティ用印刷用紙の断面図である。
【図３】本発明の実施形態に係るチップレスＲＦタグ基盤のセキュリティ用印刷用紙に特定のパターンまたは特定の色彩を適用した場合の断面図である。
【図４】本発明の実施形態に係るチップレスＲＦタグ基盤のセキュリティ用印刷用紙の製造方法を説明するフローチャートである。
【発明を実施するための形態】
【００１９】
本発明は、多様な変更を加えることができ、様々な実施形態を有することができるが、特定の実施形態を図面に例示して詳細に説明する。
【００２０】
しかし、これは、本発明を特定の実施形態に対して限定するものではなく、本発明の思想および技術範囲に含まれるすべての変更、均等物または代替物を含むことが理解されなければならない。
【００２１】
本出願で使用した用語は、単に特定の実施形態を説明するために使用されたものであり、本発明を限定しようとする意図ではない。単数の表現は、文脈上明らかに異なって意味しない限り、複数の表現を含む。本出願において、「含む」または「有する」などの用語は、明細書上に記載された特徴、数字、段階、動作、構成要素、部品またはこれらを組み合わせたものが存在することを指定するものであり、１つまたはそれ以上の他の特徴や数字、段階、動作、構成要素、部品またはこれらを組み合わせたものの存在または付加の可能性を予め排除しないことが理解されなければならない。
【００２２】
異なって定義されない限り、技術的または科学的な用語を含むここで使用されるすべての用語は、本発明の属する技術分野における通常の知識を有する者によって一般的に理解されるのと同じ意味を有する。一般的に使用される辞書に定義されているような用語は、関連技術の文脈上有する意味と一致する意味を有すると解釈されなければならず、本出願で明らかに定義しない限り、理想的または過度に形式的な意味で解釈されない。
【００２３】
以下、添付した図面を参照して、本発明の好ましい実施形態をより詳細に説明する。本発明を説明するにあたり、全体的な理解を容易にするために、図面上の同一の構成要素については同一の参照符号を用い、同一の構成要素について重複した説明は省略する。
【００２４】
図１は、本発明の実施形態に係るチップレスＲＦタグ基盤のセキュリティ用印刷用紙の分解斜視図であり、図２は、本発明の実施形態に係るチップレスＲＦタグ基盤のセキュリティ用印刷用紙の断面図であり、図３は、本発明の実施形態に係るチップレスＲＦタグ基盤のセキュリティ用印刷用紙に特定のパターンまたは特定の色彩を適用した場合の断面図である。
【００２５】
本発明の実施形態に係るチップレスＲＦタグ基盤のセキュリティ用印刷用紙は、第１原紙１０と、第２原紙２０と、チップレスＲＦタグ３０とを含む。
【００２６】
第１原紙１０と第２原紙２０は、通常の印刷用紙と同じ組成を有する。
【００２７】
第１原紙１０と第２原紙２０との間には、１つ以上のチップレスＲＦタグ３０が備えられる。
【００２８】
チップレスＲＦタグ３０は、既存のシリコン半導体の代わりに、ポリマー導電性インク、プラスチック半導体などのフレキシブル基板および素子技術によって製造可能である。一方、チップレスＲＦタグ３０は、紙やプラスチックに非常に薄い金属ファイバーを内在させて電波の透過と散乱を作り出して、固有の識別を可能にする方式で製造してもよい。
【００２９】
チップレスＲＦタグ３０は、第１原紙１０と第２原紙２０とが互いに接着される面のいずれの位置に配置されても構わない。しかし、複数のチップレスＲＦタグ３０が配置される場合には、相互間で接触しないように位置することが好ましい。
【００３０】
一方、１枚の第１原紙１０と１枚の第２原紙２０との間にチップレスＲＦタグ３０が備えられたものを１枚のセキュリティ用印刷用紙とした時、１枚のセキュリティ用印刷用紙に備えられるチップレスＲＦタグ３０の数、大きさ、位置は、感知確率を高め、生産原価を低下させられる最適な数、大きさ、位置に設定されることが好ましい。ここで、最適な数は、１つ以上であればよい。最適な位置は、互いに接触しない位置であればよい。最適な大きさは、チップレスＲＦタグ３０を製造可能な技術力に応じて決定される。
【００３１】
上述のような本発明の具体的な実施形態を、図２を参照してより詳細に説明すれば、チップレスＲＦタグ３０は、第１原紙１０の内面１２または第２原紙２０の内面２１に付着する。ここで、チップレスＲＦタグ３０は、導電性インクなどを用いて描いてもよい。
【００３２】
チップレスＲＦタグ３０が付着した後には、第１原紙１０の内面１２と第２原紙２０の内面２１とが接着手段によって接着される。
【００３３】
一方、セキュリティ用印刷用紙の内部に備えられたチップレスＲＦタグ３０は、印刷用紙を光に透かす行為などによってその位置が露出し得る。
【００３４】
これを防止するために、本発明の実施形態では、印刷用紙の不透明度を向上させて、用紙の内部に備えられたチップレスＲＦタグ３０の位置露出を防止する加工方法が適用可能である。例えば、チップレスＲＦタグ３０の位置露出を防止するために、第１原紙１０および／または第２原紙２０の内面および／または外面を炭素コーティングしたり、第１原紙１０の外面１１または内面１２に特定のパターンや特定の色彩を適用したり、第２原紙２０の外面２２または内面２１に特定のパターンや特定の色彩を適用することができる。
【００３５】
必要に応じて、第１原紙１０および第２原紙２０の内面または外面に特定のパターンや特定の色彩を適用してもよい。ここで、特定のパターンまたは特定の色彩は、チップレスＲＦタグ３０の色（例えば、不透明な銀色または灰色）とほぼ類似するかそれより濃い色を有することが好ましい。そして、特定のパターンまたは特定の色彩は、チップレスＲＦタグ３０の位置露出の防止だけでなく、探知手段において現在使用している用紙がセキュリティ用印刷用紙であることを感知できるようにするマーカーとして使用される。
【００３６】
このように、特定のパターンまたは特定の色彩が適用されることにより、第１原紙１０および／または第２原紙２０には薄い層が形成されることになる。例えば、図３のように、第１原紙１０の内面１２に特定のパターンまたは特定の色彩が適用された層１３が形成されたり、第２原紙２０の内面２１に特定のパターンまたは特定の色彩が適用された層２３が形成されてもよい。もちろん、第１原紙１０および第２原紙２０の内面または外面をそれぞれ炭素コーティングすると、炭素コーティング層が形成されることになる。
【００３７】
図３では、第１原紙１０および第２原紙２０の内面に層１３、２３を形成させたが、必要によっては、第１原紙１０および第２原紙２０のうちのいずれか１枚の原紙の内面にのみ層を形成させてもよい。これとは異なり、第１原紙１０および第２原紙２０の外面１１、２２に特定のパターンまたは特定の色彩が適用された層を形成させたり、第１原紙１０および第２原紙２０のうちのいずれか１枚の原紙の外面にのみ特定のパターンまたは特定の色彩が適用された層を形成させてもよい。
【００３８】
図２および図３では、第１原紙１０および第２原紙２０の間に隙間（ｇａｐ）があるものとして示したが、これは、第１原紙１０および第２原紙２０の内面および外面を容易に把握できるようにするためである。実際には第１原紙１０および第２原紙２０は接着剤などで互いに密着するので、隙間がなくなる。
【００３９】
図４は、本発明の実施形態に係るチップレスＲＦタグ基盤のセキュリティ用印刷用紙の製造方法を説明するフローチャートである。以下の説明は、セキュリティ用印刷用紙を製造する装置が行う動作として理解すればよい。
【００４０】
Ｓ１０において、第１原紙１０および第２原紙２０を製造する。もちろん、予め製造されている第１原紙１０および第２原紙２０を用意しても構わない。ここで、第１原紙１０および第２原紙２０の製造方法については、詳細に説明しなくても、当業者であれば周知の技術で十分に理解することができる。
【００４１】
次に、Ｓ２０において、セキュリティ用印刷用紙の内部に具備させるチップレスＲＦタグ３０の位置露出を防止し、セキュリティ用印刷用紙であることを感知できるようにするために、第１原紙１０および／または第２原紙２０の内面および／または外面を炭素コーティングしたり、製造された第１原紙１０または第２原紙２０の内面または外面に特定のパターン（例えば、ＲＦアンテナと同一または異なるパターン）または特定の色彩（例えば、チップレスＲＦタグ３０とほぼ類似するかより濃い色）を適用する。それによって、第１原紙１０または第２原紙２０の内面または外面には層１３または２３が形成(印刷)される。
【００４２】
このようにすれば、セキュリティ用印刷用紙の不透明度を向上させるようになって、印刷用紙を光に透かしてもチップレスＲＦタグ３０の位置を把握できなくなるため、故意的なタグの損傷を防止することができる。
【００４３】
Ｓ３０において、第１原紙１０および第２原紙２０が互いに接着される面に１つ以上のチップレスＲＦタグ３０を付着させる。ここで、後に２枚以上のセキュリティ用印刷用紙が重なる場合、チップレスＲＦタグ３０の位置の重畳による感知不能の状況が発生することがある。そのような状況を防止するために、Ｓ３０におけるチップレスＲＦタグ３０の付着時にチップレスＲＦタグ３０に対する適切な位置が考慮されなければならない。すなわち、Ｓ３０では、複数のセキュリティ用印刷用紙が重なることに備えて、それぞれのチップレスＲＦタグ３０は重畳しないように配置される。
【００４４】
上述の説明では、製造工程の便宜性によって、第１原紙１０または第２原紙２０の内面または外面に層１３、２３を形成した後に、チップレスＲＦタグ３０を付着させるものとしたが、必要によっては、チップレスＲＦタグ３０を付着させた後に、第１原紙１０または第２原紙２０の内面または外面に層１３、２３を形成するものにしてもよい。
【００４５】
最後に、Ｓ４０において、第１原紙１０と第２原紙２０とを接着させて合紙を完成する。この時、合紙のために、通常の接着剤が用いられる。
【００４６】
このようにすれば、チップレスＲＦタグ３０が印刷用紙の表面に露出しないため、印刷装置の用紙として使用されても、機械の損傷に影響を及ぼさなくなる。
【００４７】
上述の実施形態の説明では記載していないが、セキュリティ用印刷用紙の搬出が可能であるか否かの判断などの機能拡大を目的として、チップレスＲＦタグ３０にＩＤ値（例えば、搬出許容情報を含む）などを含ませてもよい。
【００４８】
一方、チップレスＲＦタグの代わりに、チップ（Ｃｈｉｐ）を含むＲＦタグを適用することにより、印刷用紙の不法搬出防止機能のほか、チップに注入された情報を用いて合法搬出であるか否かを判断できるようにしてもよい。
【００４９】
一方、チップレスＲＦタグの代わりに、チップを含むＲＦタグを適用することにより、チップに注入された情報を用いて印刷装置でセキュリティ用印刷用紙が注入されることを感知できるようにしてもよい。
【００５０】
以上、図面と明細書で最適な実施形態が開示された。ここで、特定の用語が使用されたが、これは、単に本発明を説明するための目的で使用されたものであり、意味の限定や特許請求の範囲に記載された本発明の範囲を制限するために使用されたものではない。そのため、本技術分野における通常の知識を有する者であれば、これから多様な変形および均等な他の実施形態が可能であることを理解するであろう。したがって、本発明の真の技術的保護範囲は、添付した特許請求の範囲の技術的思想によって定められなければならない。
【符号の説明】
【００５１】
１０：第１原紙
２０：第２原紙
３０：チップレスＲＦタグ
【図１】
2016018556.tif 000003
【図２】
2016018556.tif 000004
【図３】
2016018556.tif 000005
【図４】
2016018556.tif 000006